Podtech/llm-jp-corpus-v4-ja_patent huggingface dataset:
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
回転可能なモータと、
前記モータから駆動力を供給されて回転するハンマと、
前記ハンマと別体に設けられ前記ハンマの回転により前記ハンマと一体的に回転するアンビルと、
先端工具を保持可能であり前記先端工具に前記アンビルの回転を伝達する先端工具保持部と、
前記モータに駆動電力を供給する電力供給部と、
前記駆動電力が供給されている状態で前記モータに流れる電流が所定値まで増加した場合に前記モータへの前記駆動電力の供給を停止するよう前記電力供給部を制御する制御部と、
を備え、
前記制御部は、前記ハンマと前記アンビルとを接触した状態で前記電力供給部に前記駆動電力の供給をさせるために、前記駆動電力を供給する前に前記駆動電力よりも小さいソフトスタート用電力を前記モータに供給するよう前記電力供給部を制御することを特徴とする電動工具。
【請求項２】
動力源となるモータと、
前記モータに接続され、回転されるハンマと、
前記ハンマに対して回転可能なアンビルと、を有し、
前記ハンマと前記アンビルとを一体的に回転させる第１の電力と、前記第１の電力よりも小さい第２の電力と、を前記モータから前記ハンマに供給可能な電動工具であって、
前記モータの起動初期に前記第２の電力を前記ハンマに供給し、前記第２の電力の供給後に前記第１の電力を前記ハンマに供給することを特徴とする電動工具。
【請求項３】
電気モータと、
前記電気モータに接続されるハンマと、
前記ハンマに対して回転可能なアンビルと、を有し、
第１の電力と、前記第１の電力よりも小さい第２の電力と、を前記電気モータに供給可能な電動工具であって、
前記モータの起動初期に第２の電力を前記電気モータに供給し、第２の電力の供給後に第１の電力を前記電気モータに供給することを特徴とする電動工具。
【請求項４】
前記ハンマは、前記アンビルを打撃可能であることを特徴とする請求項３に記載の電動工具。
【請求項５】
前記モータへと所定の電力が供給されたことを検知して、前記モータへの電力の供給を停止することを特徴とする請求項３又は４に記載の電動工具。
【請求項６】
前記第２の電力を供給する時間は、前記アンビルと前記ハンマが接触するまでの時間よりも大きいことを特徴とする請求項３から５のいずれか一項に記載の電動工具。
【請求項７】
前記モータへと通電可能であって、前記モータへの供給電力量を変更可能なトリガを有しており、前記第２の電力は、前記トリガの引き量によらず所定値よりも小さいことを特徴とする請求項２から６のいずれか一項に記載の電動工具。
【請求項８】
前記モータへの供給電力量は、ＰＷＭ信号のデューティ比を変化させることによって変更可能であることを特徴とする請求項７に記載の電動工具。
【請求項９】
前記第２の電力は、所定の時間の間は、所定値よりも小さいことを特徴とする請求項７又は８に記載の電動工具。
【手続補正２】
【補正対象書類名】明細書
【補正対象項目名】０００５
【補正方法】変更
【補正の内容】
【０００５】
上記目的を達成するために、本発明は回転可能なモータと、前記モータから駆動力を供給されて回転するハンマと、前記ハンマと別体に設けられ前記ハンマの回転により前記ハンマと一体的に回転するアンビルと、先端工具を保持可能であり前記先端工具に前記アンビルの回転を伝達する先端工具保持部と、前記モータに駆動電力を供給する電力供給部と、前記駆動電力が供給されている状態で前記モータに流れる電流が所定値まで増加した場合に前記モータへの前記駆動電力の供給を停止するよう前記電力供給部を制御する制御部とを備え、前記制御部は、前記ハンマと前記アンビルとを接触した状態で前記電力供給部に前記駆動電力の供給をさせるために、前記駆動電力を供給する前に前記駆動電力よりも小さいソフトスタート用電力を前記モータに供給するよう前記電力供給部を制御することを特徴とする電動工具を提供している。
【手続補正３】
【補正対象書類名】明細書
【補正対象項目名】０００７
【補正方法】変更
【補正の内容】
【０００７】
また、本発明は、動力源となるモータと、前記モータに接続され、回転されるハンマと、前記ハンマに対して回転可能なアンビルと、を有し、前記ハンマと前記アンビルとを一体的に回転させる第１の電力と、前記第１の電力よりも小さい第２の電力と、を前記モータから前記ハンマに供給可能な電動工具であって、前記モータの起動初期に前記第２の電力を前記ハンマに供給し、前記第２の電力の供給後に前記第１の電力を前記ハンマに供給することを特徴とする電動工具を提供している。
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
正転及び逆転可能なモータと、
前記モータから駆動力を供給されて正転方向又は逆転方向に回転するハンマと、
前記ハンマと別体に設けられ前記ハンマの前記正転方向への回転により回転力が供給されて回転するアンビルと、
先端工具を保持可能であり前記先端工具に前記アンビルの回転を伝達する先端工具保持部と、
前記モータに回転用正転電力、又は、嵌合用逆転電力を供給する電力供給部と、
前記回転用正転電力を供給する前に、前記ハンマが前記逆転方向に回転して前記アンビルを打撃するように前記嵌合用逆転電力を前記モータに供給するよう前記電力供給部を制御する制御部と、
を備えたことを特徴とする電子パルスドライバ。
【請求項２】
モータと、
前記モータにより回転されるハンマと、
前記ハンマによって打撃されるアンビルと、を有する電動工具であって、
前記ハンマが前記アンビルを正転方向に打撃する前に、前記アンビルを逆転方向に回転させることを特徴とする電動工具。
【請求項３】
モータと、
前記モータにより回転されるハンマと、
前記ハンマによって打撃されるアンビルと、を有する電動工具であって、
前記ハンマが前記アンビルを正転方向に打撃する前に、前記ハンマと前記アンビルが逆転方向に接触することを特徴とする電動工具。
【請求項４】
前記アンビルには、先端工具が保持されていることを特徴とする請求項２又は３に記載の電動工具。
【請求項５】
モータと、
前記モータにより回転される先端工具保持部と、を有する電動工具であって、
前記先端工具保持部が正転方向に回転する前に、前記先端工具保持部が逆転するように構成したことを特徴とする電動工具。
【手続補正２】
【補正対象書類名】明細書
【補正対象項目名】０００５
【補正方法】変更
【補正の内容】
【０００５】
上記目的を達成するために、本発明は正転及び逆転可能なモータと、前記モータから駆動力を供給されて正転方向又は逆転方向に回転するハンマと、前記ハンマと別体に設けられ前記ハンマの前記正転方向への回転により回転力が供給されて回転するアンビルと、先端工具を保持可能であり前記先端工具に前記アンビルの回転を伝達する先端工具保持部と、前記モータに回転用正転電力、又は、嵌合用逆転電力を供給する電力供給部と、前記回転用正転電力を供給する前に、前記ハンマが前記逆転方向に回転して前記アンビルを打撃するように前記嵌合用逆転電力を前記モータに供給するよう前記電力供給部を制御する制御部とを備えたことを特徴とする電子パルスドライバを提供している。
【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなる衣服用クリップであって、
前記第一の挟持具及び前記第二の挟持具はそれぞれ第一の挟持具第一挟持片と第一の挟持具第二挟持片、第二の挟持具第一挟持片と第二の挟持具第二挟持片とを備えており、前記第一の挟持具第一挟持片と第二の挟持具第一挟持片とが第一の挟持具及び第二の挟持具に共通する構造になって前記第一の挟持具と前記第二の挟持具とが組み合わされていることを特徴とする衣服用クリップ。
【請求項２】
互いに対向する方向に開口している第一の開口部と第二の開口部とをそれぞれ備えていて、当該第一の開口部及び第二の開口部でそれぞれ被挟持物を挟持する第一の挟持具と第二の挟持具とが組み合わされてなる衣服用クリップであって、
前記第一の挟持具及び前記第二の挟持具はそれぞれ第一の挟持具第一挟持片と第一の挟持具第二挟持片、第二の挟持具第一挟持片と第二の挟持具第二挟持片とを備えており、前記第一の挟持具第一挟持片の前記第二の挟持具に対向する側の面と、前記第二の挟持具第一挟持片の前記第一の挟持具に対向する側の面とが互いに接合されて前記第一の挟持具と前記第二の挟持具とが組み合わされていることを特徴とする衣服用クリップ。
【請求項３】
前記第一の挟持具第一挟持片の前記第一の開口部側の端と前記第一の挟持具第二挟持片の前記第一の開口部側の端とが互いに接近する方向に第一の付勢手段によって常に付勢されていることにより前記第一の開口部で被挟持物が挟持される
ことを特徴とする請求項１又は２記載の衣服用クリップ。
【請求項４】
前記第一の挟持具第二挟持片の前記第一の開口部側の端が前記第一の挟持具第一挟持片の前記第一の開口部側の端から離れる方向に第三の付勢手段によって常に付勢されており、当該第三の付勢手段に抗して前記第一の挟持具第二挟持片の前記第一の開口部側の端を前記第一の挟持具第一挟持片の前記第一の開口部側の端に接近させることにより前記第一の開口部で被挟持物が挟持される
ことを特徴とする請求項１又は２記載の衣服用クリップ。
【請求項５】
前記第二の挟持具第一挟持片の前記第二の開口部側の端と前記第二の挟持具第二挟持片の前記第二の開口部側の端とが互いに接近する方向に第二の付勢手段によって常に付勢されていることにより前記第二の開口部で被挟持物が挟持される
ことを特徴とする請求項１乃至４のいずれか一項記載の衣服用クリップ。
【請求項６】
前記第二の挟持具第二挟持片の前記第二の開口部側の端が前記第二の挟持具第一挟持片の前記第二の開口部側の端から離れる方向に第四の付勢手段によって常に付勢されており、当該第四の付勢手段に抗して前記第二の挟持具第二挟持片の前記第二の開口部側の端を前記第二の挟持具第一挟持片の前記第二の開口部側の端に接近させることにより前記第二の開口部で被挟持物が挟持される
ことを特徴とする請求項１乃至４のいずれか一項記載の衣服用クリップ。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
支持体上に平均二次粒子径が５００ｎｍ以下の無機微粒子を主体として含有するインク受容層を少なくとも２層有し、支持体に近いインク受容層が真珠光沢顔料を含有するインクジェット記録材料であって、支持体に近いインク受容層が含有する当該無機微粒子と真珠光沢顔料に対する親水性バインダーの比率が、支持体から離れたインク受容層が含有する当該無機微粒子に対する親水性バインダーの比率よりも大きく、かつ支持体に近いインク受容層の当該比率が０．４以下であることを特徴とするインクジェット記録材料。
【手続補正書】
【提出日】平成24年7月20日(2012.7.20)
【手続補正１】
【補正対象書類名】特許請求の範囲
【補正対象項目名】請求項２
【補正方法】変更
【補正の内容】
【請求項２】
請求項１において、
前記回復手段が、前記記録用波形や前記異常ノズル検知用波形とは異なる回復用波形の駆動信号を前記圧力発生素子に印加して回復用の吐出を行わせる回復用吐出制御手段を有することを特徴とするインクジェット記録装置。
【手続補正２】
【補正対象書類名】明細書
【補正対象項目名】００１９
【補正方法】変更
【補正の内容】
【００１９】
（発明２）：発明２に係るインクジェット記録装置は、発明１において、前記回復手段が、前記記録用波形や前記異常ノズル検知用波形とは異なる回復用波形の駆動信号を前記圧力発生素子に印加して回復用の吐出を行わせる回復用吐出制御手段を有することを特徴とする。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、所定の移行条件の成立にもとづいて遊技者にとって有利な特定遊技状態に移行させる遊技機であって、
前記特定遊技状態において開放状態に変化可能な可変入賞球装置と、
前記可変入賞球装置に入賞した遊技球を検出して検出信号を出力する入賞検出手段とを備え、
前記特定遊技状態には、前記可変入賞球装置の前記開放状態が異なる複数種類の特定遊技状態が含まれ、
前記入賞検出手段からの前記検出信号を入力したか否かを判定する入賞判定手段と、
遊技機への電力供給が開始されたときに、バックアップ記憶手段が記憶する記憶内容を初期化する初期化処理を実行する初期化手段と、
前記特定遊技状態以外の遊技状態において前記入賞判定手段が前記検出信号を入力したと判定したことにもとづいて、異常入賞が発生したと判定する異常入賞判定手段と、
前記複数種類の特定遊技状態のいずれにおいても共通の処理ルーチンにより前記可変入賞球装置を制御する状態制御手段と、
前記初期化処理が実行されたことを示す初期化報知を実行する初期化報知手段と、
前記異常入賞判定手段によって前記異常入賞が発生したと判定されたことにもとづいて、前記異常入賞が発生したことを示す異常報知を実行する異常報知手段とをさらに備え、
前記異常報知手段は、前記初期化報知手段による前記初期化報知が終了した後に前記異常報知を実行可能である
ことを特徴とする遊技機。
【手続補正２】
【補正対象書類名】明細書
【補正対象項目名】０００８
【補正方法】変更
【補正の内容】
【０００８】
特許文献１に記載されている遊技機では、入賞異常時に異常報知手段によって異常報知が行われる。しかし、大入賞口への入賞許容値以上の入賞が検出されると、異常入賞が発生したと判定される。従って、大入賞口が開放しているときの入賞信号を計数する必要があり、異常入賞検出のための処理は簡易ではない。
【手続補正３】
【補正対象書類名】明細書
【補正対象項目名】０００９
【補正方法】変更
【補正の内容】
【０００９】
そこで、本発明は、簡易な処理で異常入賞を検出できる遊技機を提供することを目的とする。
【手続補正４】
【補正対象書類名】明細書
【補正対象項目名】００１０
【補正方法】変更
【補正の内容】
【００１０】
本発明による遊技機は、遊技球を用いて所定の遊技を行うことが可能であり、所定の移行条件の成立（例えば、ステップＳ６２の大当り判定で「大当り」または「小当り」と決定されたこと）にもとづいて遊技者にとって有利な特定遊技状態（例えば、大当り遊技状態または小当り遊技状態（始動動作状態））に移行させる遊技機であって、特定遊技状態において開放状態に変化可能な可変入賞球装置と、可変入賞球装置に入賞した遊技球を検出して検出信号を出力する入賞検出手段とを備え、特定遊技状態には、可変入賞球装置の開放状態が異なる複数種類の特定遊技状態が含まれ、入賞検出手段からの検出信号を入力したか否かを判定する入賞判定手段と、遊技機への電力供給が開始されたときに、バックアップ記憶手段が記憶する記憶内容を初期化する初期化処理を実行する初期化手段と、特定遊技状態以外の遊技状態において入賞判定手段が検出信号を入力したと判定したことにもとづいて、異常入賞が発生したと判定する異常入賞判定手段と、複数種類の特定遊技状態のいずれにおいても共通の処理ルーチンにより可変入賞球装置を制御する状態制御手段と、初期化処理が実行されたことを示す初期化報知を実行する初期化報知手段と、異常入賞判定手段によって異常入賞が発生したと判定されたことにもとづいて、異常入賞が発生したことを示す異常報知を実行する異常報知手段とをさらに備え、異常報知手段は、初期化報知手段による初期化報知が終了した後に異常報知を実行可能であることを特徴とする。
そのような構成によれば、簡易な処理で異常入賞を検出できる。
【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
低コヒーレント長の光の一部を測定光とするとともに前記低コヒーレント長の光の一部を参照光とし，該参照光と前記測定光の反射光とを合成し，干渉させる干渉光学系と、
該干渉光学系によって得られた干渉光を導光する光ファイバーと、
前記光ファイバーを通過した干渉光を発する前記光ファイバーの端部と、該端部から発せられた干渉光を各周波数成分に分光するための回折格子と，該回折格子によって分光された干渉光を集光する集光レンズと，各周波数成分に分光された干渉光を受光する一次元受光素子とを含む分光光学系と、を備え、前記一次元受光素子からの受光信号に基づいて被検眼の画像情報を取得する眼科装置において、
前記一次元受光素子から出力される受光信号に基づいて、前記一次元受光素子と、前記分光光学系に設けられた前記一次元受光素子以外の他の光学部材と，の相対的な位置関係を調整する調整手段を備えることを特徴とする眼科装置。
【請求項２】
請求項１の眼科装置において、前記調整手段は、分光光学系の光軸に対して垂直な平面上であって前記一次元受光素子の長手方向と直交する方向に関して前記一次元受光素子と前記他の光学部材との相対的な位置関係を調整する駆動機構を備えることを特徴とする眼科装置。
【請求項３】
請求項１〜２のいずれかの眼科装置において、前記駆動機構は、前記他の光学部材に対して前記一次元受光素子の位置を調整する駆動機構であることを特徴とする眼科装置。
【請求項４】
請求項１〜３のいずれかの眼科装置において、前記調整手段は、前記一次元受光素子と前記他の光学部材との相対的な位置関係を調整するために前記一次元受光素子に入射させるキャリブレーション用の光束として前記参照光を用いることを特徴とする眼科装置。
【請求項５】
請求項１〜４のいずれかの眼科装置において、前記調整手段は、前記一次元受光素子から出力される受光信号に基づいて前記一次元受光素子に対する光の受光状態を判定し、その判定結果に基づいて前記一次元受光素子と前記他の光学部材との相対的な位置関係を調整する駆動制御手段を備えることを特徴とする眼科装置。
【手続補正２】
【補正対象書類名】明細書
【補正対象項目名】０００６
【補正方法】変更
【補正の内容】
【０００６】
（１）
低コヒーレント長の光の一部を測定光とするとともに前記低コヒーレント長の光の一部を参照光とし，該参照光と前記測定光の反射光とを合成し，干渉させる干渉光学系と、
該干渉光学系によって得られた干渉光を導光する光ファイバーと、
前記光ファイバーを通過した干渉光を発する前記光ファイバーの端部と、該端部から発せられた干渉光を各周波数成分に分光するための回折格子と，該回折格子によって分光された干渉光を集光する集光レンズと，各周波数成分に分光された干渉光を受光する一次元受光素子とを含む分光光学系と、を備え、前記一次元受光素子からの受光信号に基づいて被検眼の画像情報を取得する眼科装置において、
前記一次元受光素子から出力される受光信号に基づいて、前記一次元受光素子と、前記分光光学系に設けられた前記一次元受光素子以外の他の光学部材と，の相対的な位置関係を調整する調整手段を備えることを特徴とする。
（２）
（１）の眼科装置において、前記調整手段は、分光光学系の光軸に対して垂直な平面上であって前記一次元受光素子の長手方向と直交する方向に関して前記一次元受光素子と前記他の光学部材との相対的な位置関係を調整する駆動機構を備えることを特徴とする。
（３）
（１）〜（２）のいずれかの眼科装置において、前記駆動機構は、前記他の光学部材に対して前記一次元受光素子の位置を調整する駆動機構であることを特徴とする眼科装置。
（４）
（１）〜（３）のいずれかの眼科装置において、前記調整手段は、前記一次元受光素子と前記他の光学部材との相対的な位置関係を調整するために前記一次元受光素子に入射させるキャリブレーション用の光束として前記参照光を用いることを特徴とする眼科装置。
（５）
（１）〜（４）のいずれかの眼科装置において、前記調整手段は、前記一次元受光素子から出力される受光信号に基づいて前記一次元受光素子に対する光の受光状態を判定し、その判定結果に基づいて前記一次元受光素子と前記他の光学部材との相対的な位置関係を調整する駆動制御手段を備えることを特徴とする眼科装置。
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
遊技者が所定の遊技を行い、遊技における特定条件の成立に応じて遊技者にとって有利な特定遊技状態に制御可能な遊技機であって、
遊技の進行を制御し、遊技状態を報知することを指示するコマンドを送信する遊技制御手段と、
遊技機に設けられている発光手段を、前記発光手段に対して駆動信号を出力することによって制御する発光制御手段とを備え、
前記発光制御手段は、
前記遊技制御手段からの遊技状態を報知することを指示するコマンドにもとづいて、前記発光手段を用いて遊技状態を報知し、
駆動信号出力のオン期間とオフ期間とを変化させることによって少なくとも一の前記発光手段の明るさを複数段階に変化させる明度変化制御を行う明度変化制御手段を含み、
前記明度変化制御手段は、前記複数段階のそれぞれの段階の明るさに応じた駆動信号出力のオン期間またはオフ期間に対応したデータが記憶された駆動信号パターンテーブルを参照して明度変化制御を行う
ことを特徴とする遊技機。
【手続補正２】
【補正対象書類名】明細書
【補正対象項目名】０００９
【補正方法】変更
【補正の内容】
【０００９】
本発明による遊技機は、遊技者が所定の遊技を行い、遊技における特定条件の成立（例えば大当り発生の条件の成立）に応じて遊技者にとって有利な特定遊技状態（例えば大当り遊技状態）に制御可能な遊技機であって、遊技の進行を制御し、遊技状態を報知することを指示するコマンドを送信する遊技制御手段と、遊技機に設けられている発光手段（遊技状態ランプ２８ｄや下部ランプ２８ｅ等）を、発光手段に対して駆動信号を出力することによって制御する発光制御手段（ランプ制御用ＣＰＵ３５１等）とを備え、発光制御手段が、遊技制御手段からの遊技状態を報知することを指示するコマンドにもとづいて、発光手段を用いて遊技状態を報知し、駆動信号出力のオン期間とオフ期間とを変化させることによって少なくとも一の発光手段（例えば遊技状態ランプ２８ｄまたは下部ランプ２８ｅ）の明るさを複数段階に変化させる明度変化制御を行う明度変化制御手段（例えばランプ制御手段における点灯開始／消灯開始処理を実行する部分）を含み、明度変化制御手段が、複数段階のそれぞれの段階の明るさに応じた駆動信号出力のオン期間またはオフ期間に対応したデータが記憶された駆動信号パターンテーブルを参照して明度変化制御を行うことを特徴とする。
そのような構成によれば、発光手段による遊技演出をさらに興趣に富んだものにすることができるとともに、遊技機の開発時等において発光手段による遊技演出の仕方を容易に調整することができる効果がある。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
外枠に対して開閉自在に設置される遊技枠と、前記遊技枠に取り付けられ、所定の板状体および前記板状体に取り付けられる各種部品を含む遊技盤とを備え、前記遊技盤を交換可能な遊技機であって、
遊技の進行を制御し、演出用の電気部品を制御させるための演出制御コマンドを送信する遊技制御手段と、
前記遊技制御手段が送信した前記演出制御コマンドに応じて演出用の電気部品を制御する演出制御手段とを備え、
前記遊技制御手段と前記演出制御手段とは、前記遊技盤に搭載され、
前記遊技制御手段は、前記演出制御コマンドを前記演出制御手段に送信するコマンド送信手段を含み、
前記演出制御手段は、前記遊技制御手段から受信した前記演出制御コマンドにもとづいて、前記演出用の電気部品を制御するための制御信号をシリアル信号方式で出力する出力手段を含み、
前記演出制御手段の出力手段から入力された前記制御信号をシリアル信号方式からパラレル信号方式に変換して前記演出用の電気部品に出力する、前記遊技盤に設けられた盤側シリアル−パラレル変換回路および前記遊技枠に設けられた複数の枠側シリアル−パラレル変換回路をさらに備え、
前記盤側シリアル−パラレル変換回路は、パラレル信号方式に変換した前記制御信号を、前記演出用の電気部品のうち前記遊技盤に設けられた電気部品に出力し、
前記複数の枠側シリアル−パラレル変換回路は、パラレル信号方式に変換した前記制御信号を、前記演出用の電気部品のうち前記遊技枠に設けられた電気部品に出力するものであり、
前記盤側シリアル−パラレル変換回路と前記複数の枠側シリアル−パラレル変換回路、または前記演出制御手段と前記複数の枠側シリアル−パラレル変換回路は、１系統の配線を介して接続され、
さらに、前記盤側シリアル−パラレル変換回路または前記複数の枠側シリアル−パラレル変換回路の少なくとも一部は、同一の系統の配線で直列に接続され、
前記出力手段は、前記同一の系統の配線に接続された全ての演出用の電気部品の制御信号の情報を含む固定長さのデータを単位データずつ所定周期ごとにシリアル信号方式で出力し、
前記同一の系統の配線に接続された前記盤側シリアル−パラレル変換回路または前記複数の枠側シリアル−パラレル変換回路は、前記同一の系統の配線の下位側に接続された前記盤側シリアル−パラレル変換回路または前記複数の枠側シリアル−パラレル変換回路のいずれかに、前記所定周期ごとに出力された単位データの制御信号をそのまま順次転送するとともに、所定のタイミングで前記単位データにもとづいて制御信号を出力し、
バックアップ記憶手段が記憶する記憶内容を初期化する初期化処理を実行する初期化処理実行手段をさらに備え、
前記出力手段は、前記初期化処理が実行されたことを報知するための前記制御信号を出力可能であるとともに、
モータを駆動するための前記制御信号を出力可能である
ことを特徴とする遊技機。
【手続補正２】
【補正対象書類名】明細書
【補正対象項目名】００１１
【補正方法】変更
【補正の内容】
【００１１】
本発明による遊技機は、外枠に対して開閉自在に設置される遊技枠（例えば、遊技枠１１）と、遊技枠に取り付けられ、所定の板状体および板状体に取り付けられる各種部品を含む遊技盤（例えば、遊技盤６）とを備え、遊技盤を交換可能な遊技機であって、遊技の進行を制御し、演出用の電気部品を制御させるための演出制御コマンドを送信する遊技制御手段（例えば、遊技制御用マイクロコンピュータ５６０）と、遊技制御手段が送信した演出制御コマンドに応じて演出用の電気部品（例えば、各ランプのＬＥＤ１２５ａ〜１２５ｆ，１２６ａ〜１２６ｆ，２８１ａ〜２８１ｃ，２８２ａ〜２８２ｆ，２８３ａ〜２８３ｆ、モータ１５１ａ，１５２ａ，１５３ａ）を制御する演出制御手段（例えば、演出制御用マイクロコンピュータ１００）とを備え、遊技制御手段と演出制御手段とは、遊技盤に搭載され、遊技制御手段は、演出制御コマンドを演出制御手段に送信するコマンド送信手段（例えば、遊技制御用マイクロコンピュータ５６０におけるステップＳ２９を実行する部分）を含み、演出制御手段は、遊技制御手段から受信した演出制御コマンドにもとづいて、演出用の電気部品を制御するための制御信号をシリアル信号方式で出力する出力手段（例えば、演出制御用マイクロコンピュータ１００におけるステップＳ７０８を実行する部分）を含み、演出制御手段の出力手段から入力された制御信号をシリアル信号方式からパラレル信号方式に変換して演出用の電気部品に出力する、遊技盤に設けられた盤側シリアル−パラレル変換回路（例えば、シリアル−パラレル変換ＩＣ６１６〜６１９）および遊技枠に設けられた複数の枠側シリアル−パラレル変換回路（例えば、シリアル−パラレル変換ＩＣ６１０〜６１５）をさらに備え、盤側シリアル−パラレル変換回路は、パラレル信号方式に変換した制御信号を、演出用の電気部品のうち遊技盤に設けられた電気部品（例えば、ランプのＬＥＤ１２５ａ〜１２５ｆ，１２６ａ〜１２６ｆ、モータ１５１ａ〜１５１ｃ）に出力し、複数の枠側シリアル−パラレル変換回路は、パラレル信号方式に変換した制御信号を、演出用の電気部品のうち遊技枠に設けられた電気部品（例えば、ランプのＬＥＤ２８１ａ〜２８１ｃ，２８２ａ〜２８２ｆ，２８３ａ〜２８３ｆ，８２ａ〜８２ｄ，８３）に出力するものであり、盤側シリアル−パラレル変換回路と複数の枠側シリアル−パラレル変換回路、または演出制御手段と複数の枠側シリアル−パラレル変換回路は、１系統の配線を介して接続され、さらに、盤側シリアル−パラレル変換回路または複数の枠側シリアル−パラレル変換回路の少なくとも一部は、同一の系統の配線で直列に接続され、出力手段は、同一の系統の配線に接続された全ての演出用の電気部品の制御信号の情報を含む固定長さのデータを単位データずつ所定周期ごとにシリアル信号方式で出力し、同一の系統の配線に接続された盤側シリアル−パラレル変換回路または複数の枠側シリアル−パラレル変換回路は、同一の系統の配線の下位側に接続された盤側シリアル−パラレル変換回路または複数の枠側シリアル−パラレル変換回路のいずれかに、所定周期ごとに出力された単位データの制御信号をそのまま順次転送するとともに、所定のタイミングで単位データにもとづいて制御信号を出力し、バックアップ記憶手段が記憶する記憶内容を初期化する初期化処理を実行する初期化処理実行手段をさらに備え、出力手段は、初期化処理が実行されたことを報知するための制御信号を出力可能であるとともに、モータを駆動するための制御信号を出力可能であることを特徴とする。
そのような構成により、演出制御手段が、遊技制御手段から受信した演出制御コマンドにもとづいて、演出用の電気部品を制御するための制御信号をシリアル信号方式で出力する出力手段を含み、盤側シリアル−パラレル変換回路と複数の枠側シリアル−パラレル変換回路、または演出制御手段と複数の枠側シリアル−パラレル変換回路は、１系統の配線を介して接続されるように構成されているので、遊技盤と遊技枠との間の配線数を低減することができる。従って、遊技枠と遊技盤とが着脱自在に構成された遊技機において、遊技枠と遊技盤との着脱作業を容易に行えるようにすることができる。
【手続補正書】
【提出日】平成24年7月5日(2012.7.5)
【手続補正１】
【補正対象書類名】特許請求の範囲
【補正対象項目名】全文
【補正方法】変更
【補正の内容】
【特許請求の範囲】
【請求項１】
マイクロフルイディック・システムであって、前記システムは、
１つ以上のチャネルを含む基板と、
前記１つ以上のチャネルを通して水性流体を連続的に流すことにより、プラグを形成するように前記水性流体を分割する１つ以上の力適用機構と
を含み、
前記プラグは、前記水性流体と油との相互作用によって形成され、前記プラグは、単一分子と試薬とを含み、前記試薬は、前記プラグ内で前記単一分子と前記試薬との間で反応を行うためのものである、システム。
【請求項２】
前記単一分子は、単一の生体分子である、請求項１に記載のシステム。
【請求項３】
前記単一の生体分子は、ＤＮＡまたはＲＮＡである、請求項２に記載のシステム。
【請求項４】
前記反応は、酵素反応である、請求項１に記載のシステム。
【請求項５】
前記反応は、重合反応である、請求項４に記載のシステム。
【請求項６】
前記反応は、自己触媒反応である、請求項１に記載のシステム。
【請求項７】
前記自己触媒反応は、ポリメラーゼ連鎖反応であり、前記単一分子は、ＤＮＡである、請求項６に記載のシステム。
【請求項８】
前記１つ以上のチャネルは、前記反応の間または前記反応の後のある期間の間、前記プラグがトラッピングされる膨張部を含む、請求項１に記載のシステム。
【請求項９】
前記反応が起こっている間および／または前記反応が起こった後に前記反応の１つ以上の特性を検出、監視または分析する検出器をさらに含む、請求項１に記載のシステム。
【請求項１０】
前記特性は、発光を含む、請求項９に記載のシステム。
【請求項１１】
前記試薬は、１つ以上の蛍光ラベルを含み、前記検出器は、前記１つ以上の蛍光ラベルからの放射を検出する、請求項１０に記載のシステム。
【請求項１２】
前記プラグは、数十マイクロ秒から数時間から数週間までに及ぶことが可能な期間の間、トラッピングされる、請求項８に記載のシステム。
【請求項１３】
前記プラグは、球状の形状である、請求項１に記載のシステム。
【請求項１４】
前記力適用機構は、前記水性流体を連続的に流すために圧力を加える、請求項１に記載のシステム。
【請求項１５】
前記油は、フッ素添加された油である、請求項１に記載のシステム。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に所定の通常態様と該通常態様より遊技球が入球容易な特定態様とに変化可能な始動口が設けられた遊技機において、
前記始動口に遊技球が入球することにより、遊技者に有利な所定の利益を付与するか否かの利益付与判定を行う利益付与判定手段と、
前記利益付与判定手段により前記利益付与判定が行われた場合、所定の第１図柄表示手段において第１変動図柄の変動表示を行ってから当該利益付与判定の結果を示す第１判定図柄の停止表示を行う第１図柄表示制御手段と、
前記所定の利益を付与するという結果を示す第１判定図柄の停止表示が行われた場合、所定の利益を付与する利益付与手段と、
前記遊技領域に設けられた始動ゲートを遊技球が通過することにより、前記始動口の前記特定態様を伴う補助遊技を実行するか否かの補助遊技判定を行う補助遊技判定手段と、
前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、
前記補助遊技を実行するという結果を示す第２判定図柄の停止表示が行われた場合、前記始動口が第１時間前記特定態様になり、所定時間のインターバルを挟んで前記第１時間より長い第２時間前記特定態様になる特殊補助遊技を実行し得る特殊補助遊技手段と、
前記所定時間のインターバル中に所定の報知演出手段において前記始動口が前記特定態様になることの報知演出を実行する報知演出手段と、を備えることを特徴とする遊技機。
【請求項２】
前記補助遊技判定において前記補助遊技を実行すると判定される確率が所定値に設定される通常遊技状態で遊技を制御する通常遊技状態制御手段と、
前記利益付与判定手段により所定の利益を付与すると判定された場合、前記補助遊技判定で前記補助遊技を実行すると判定される確率が前記所定値より高く設定される特定遊技状態で遊技を制御可能な特定遊技状態制御手段と、を更に備え、
前記特殊補助遊技手段は、前記通常遊技状態制御手段により前記通常遊技状態で遊技が制御されているときに前記特殊補助遊技を実行可能であることを特徴とする請求項１に記載の遊技機。 
【手続補正２】
【補正対象書類名】明細書
【補正対象項目名】００１０
【補正方法】変更
【補正の内容】
【００１０】
第１の発明は、遊技球が流下可能な遊技領域に所定の通常態様と該通常態様より遊技球が入球容易な特定態様とに変化可能な始動口が設けられた遊技機において、前記始動口に遊技球が入球することにより、遊技者に有利な所定の利益を付与するか否かの利益付与判定を行う利益付与判定手段と、前記利益付与判定手段により前記利益付与判定が行われた場合、所定の第１図柄表示手段において第１変動図柄の変動表示を行ってから当該利益付与判定の結果を示す第１判定図柄の停止表示を行う第１図柄表示制御手段と、前記所定の利益を付与するという結果を示す第１判定図柄の停止表示が行われた場合、所定の利益を付与する利益付与手段と、前記遊技領域に設けられた始動ゲートを遊技球が通過することにより、前記始動口の前記特定態様を伴う補助遊技を実行するか否かの補助遊技判定を行う補助遊技判定手段と、前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、前記補助遊技を実行するという結果を示す第２判定図柄の停止表示が行われた場合、前記始動口が第１時間前記特定態様になり、所定時間のインターバルを挟んで前記第１時間より長い第２時間前記特定態様になる特殊補助遊技を実行し得る特殊補助遊技手段と、前記所定時間のインターバル中に所定の報知演出手段において前記始動口が前記特定態様になることの報知演出を実行する報知演出手段と、を備えることを特徴とする。
第２の発明は、前記補助遊技判定において前記補助遊技を実行すると判定される確率が所定値に設定される通常遊技状態で遊技を制御する通常遊技状態制御手段と、前記利益付与判定手段により所定の利益を付与すると判定された場合、前記補助遊技判定で前記補助遊技を実行すると判定される確率が前記所定値より高く設定される特定遊技状態で遊技を制御可能な特定遊技状態制御手段と、を更に備え、前記特殊補助遊技手段は、前記通常遊技状態制御手段により前記通常遊技状態で遊技が制御されているときに前記特殊補助遊技を実行可能であることを特徴とする。
【手続補正３】
【補正対象書類名】明細書
【補正対象項目名】００１３
【補正方法】変更
【補正の内容】
【００１３】
本発明によれば遊技の単調化を抑えることができる。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
間欠的に駆動されるモータと、
前記モータによって駆動される出力部と、
前記モータを収容するハウジングと、
前記ハウジングの内蔵物の温度を検知可能な温度検出部と、を有する電動工具であって、
前記温度検出部からの出力値によって前記モータを間欠的に駆動する周期を変更するようにしたことを特徴とする電動工具。
【請求項２】
正転及び逆転可能なモータと、
前記モータから駆動力を供給されて正転方向又は逆転方向に回転するハンマと、
前記ハンマと別体に設けられ前記逆転方向への回転により加速距離を稼いだ前記ハンマの前記正転方向への回転により打撃されて回転するアンビルと、
先端工具を保持可能であり前記先端工具に前記アンビルの回転を伝達する先端工具保持部と、
前記モータに正転電力又は逆転電力を第１の周期で交互に切り換えて供給する電力供給部と、
前記モータの温度を検出する温度検出部と、
前記モータの温度が所定値まで上昇した場合に前記正転電力と前記逆転電力とを前記第１の周期より長い第２の周期で切り換えるよう前記電力供給部を制御する制御部と、
を備えたことを特徴とする電動工具。
【請求項３】
モータと、
前記モータによって駆動される出力部と、
前記モータを収容するハウジングと、
前記ハウジングの内蔵物の温度を検知可能な温度検出部と、を有する電動工具であって、
前記温度検出部からの出力値によって、前記モータの制御方法を変更するよう構成したことを特徴とする電動工具。
【請求項４】
モータ部と、
前記モータ部によって駆動される出力部と、
前記モータ部を収容するハウジングと、
前記モータ部の温度を検知可能な温度検出部と、を有する電動工具であって、
前記温度検出部からの出力値によって、前記モータ部への電力供給値を変更するよう構成したことを特徴とする電動工具。
【請求項５】
前記モータ部には、ハンマが接続されており、
前記ハンマによって、アンビルが打撃可能とされており、
前記温度検出部からの出力値が第１の値の場合には、第１の間隔でハンマがアンビルを打撃し、
前記温度検出部からの出力値が第１の値よりも大きい第２の値の場合には、前記第１の間隔よりも長い第２の間隔でハンマがアンビルを打撃するよう構成したことを特徴とする請求項４に記載の電動工具。
【手続補正２】
【補正対象書類名】明細書
【補正対象項目名】０００５
【補正方法】変更
【補正の内容】
【０００５】
上記目的を達成するために、本発明は、間欠的に駆動されるモータと、前記モータによって駆動される出力部と、前記モータを収容するハウジングと、前記ハウジングの内蔵物の温度を検知可能な温度検出部と、を有する電動工具であって、前記温度検出部からの出力値によって前記モータを間欠的に駆動する周期を変更するようにしたことを特徴とする電動工具を提供している。このような構成によれば、ハウジングの内蔵物の温度によって、モータの制御を最適に行うことができる。
【手続補正３】
【補正対象書類名】明細書
【補正対象項目名】０００６
【補正方法】変更
【補正の内容】
【０００６】
また、本発明は、正転及び逆転可能なモータと、前記モータから駆動力を供給されて正転方向又は逆転方向に回転するハンマと、前記ハンマと別体に設けられ前記逆転方向への回転により加速距離を稼いだ前記ハンマの前記正転方向への回転により打撃されて回転するアンビルと、先端工具を保持可能であり前記先端工具に前記アンビルの回転を伝達する先端工具保持部と、前記モータに正転電力又は逆転電力を第１の周期で交互に切り換えて供給する電力供給部と、前記モータの温度を検出する温度検出部と、前記モータの温度が所定値まで上昇した場合に前記正転電力と前記逆転電力とを前記第１の周期より長い第２の周期で切り換えるよう前記電力供給部を制御する制御部と、を備えたことを特徴とする電動工具を提供している。
【手続補正４】
【補正対象書類名】明細書
【補正対象項目名】０００７
【補正方法】変更
【補正の内容】
【０００７】
このような構成によれば、モータの温度が所定値まで上昇した場合に正転電力と逆転電力とを第１の周期より長い第２の周期で切り換えるので、切り換えの際に生じる発熱を抑制することができ、インパクトドライバ全体の耐用性を上げることが可能となる。
【手続補正５】
【補正対象書類名】明細書
【補正対象項目名】０００８
【補正方法】変更
【補正の内容】
【０００８】
また、本発明は、モータと、前記モータによって駆動される出力部と、前記モータを収容するハウジングと、前記ハウジングの内蔵物の温度を検知可能な温度検出部と、を有する電動工具であって、前記温度検出部からの出力値によって、前記モータの制御方法を変更するよう構成したことを特徴とする電動工具を提供している。
【手続補正６】
【補正対象書類名】明細書
【補正対象項目名】０００９
【補正方法】変更
【補正の内容】
【０００９】
このような構成により、ハウジングの内蔵物の温度によって、モータへの電力供給値を変更できるので、ハウジングの内蔵物の温度が高くなりすぎるのを抑制することができる。このため、ハウジングの内蔵物が高温によって破損することを抑制することができる。
【手続補正７】
【補正対象書類名】明細書
【補正対象項目名】００１０
【補正方法】変更
【補正の内容】
【００１０】
また、本発明は、モータ部と、前記モータ部によって駆動される出力部と、前記モータ部を収容するハウジングと、前記モータ部の温度を検知可能な温度検出部と、を有する電動工具であって、前記温度検出部からの出力値によって、前記モータ部への電力供給値を変更するよう構成したことを特徴とする電動工具を提供している。
【手続補正８】
【補正対象書類名】明細書
【補正対象項目名】００１１
【補正方法】変更
【補正の内容】
【００１１】
このような構成により、モータ部の温度によって、モータへの電力供給値を変更できるので、モータ部の温度が高くなりすぎるのを抑制することができる。このため、モータ部が高温によって破損することを抑制することができる。
【手続補正９】
【補正対象書類名】明細書
【補正対象項目名】００１２
【補正方法】変更
【補正の内容】
【００１２】
また、前記モータ部には、ハンマが接続されており、前記ハンマによって、アンビルが打撃可能とされており、前記温度検出部からの出力値が第１の値の場合には、第１の間隔でハンマがアンビルを打撃し、前記温度検出部からの出力値が第１の値よりも大きい第２の値の場合には、前記第１の間隔よりも長い第２の間隔でハンマがアンビルを打撃することが好ましい。
【手続補正１０】
【補正対象書類名】明細書
【補正対象項目名】００１３
【補正方法】変更
【補正の内容】
【００１３】
このような構成により、温度が高い場合には、負荷を小さくなるので、モータ部の温度が高い場合にはモータ部の温度が上がらないようにすることができる。このため、モータ部の温度が上がりすぎることによってモータ部が破損することが少なくなる。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
モータと、
前記モータにより回転するハンマと、
前記ハンマの回転力が供給されて回転するアンビルと、を備え、
前記モータに流れる電流の大きさに応じて、その後に続く前記モータの動作モードの種類を複数の動作モードから選択することを特徴とする電動工具。
【請求項２】
正転及び逆転可能なモータと、
前記モータから駆動力を供給されて正転方向又は逆転方向に回転するハンマと、
前記ハンマと別体に設けられ前記ハンマの前記正転方向への回転により回転力が供給されて回転するアンビルと、
先端工具を保持可能であり前記先端工具に前記アンビルの回転を伝達する先端工具保持部と、
前記モータに正転電力又は逆転電力を供給する電力供給部と、
所定期間は前記ハンマと一体的に前記アンビルを回転させるために前記モータに前記正転電力を供給し、前記所定期間経過時に前記モータに前記逆転電力を供給するよう前記電力供給部を制御し、前記逆転電力によって前記モータに流れる電流が第１の所定値以上の場合には前記正転電力と前記逆転電力とを前記第１の切り換え周期で切り換え、前記第１の所定値未満の場合には前記正転電力と前記逆転電力とを前記第２の周期で切り換えるよう前記電力供給部を制御することを特徴とする電動工具。
【請求項３】
モータと、
前記モータによって正転方向に回転する出力軸と、を有し、
前記モータを逆転するように信号を与えたときに生じる電流値によって、前記モータの制御方法を自動で変更するように構成したことを特徴とする電動工具。
【手続補正２】
【補正対象書類名】明細書
【補正対象項目名】０００５
【補正方法】変更
【補正の内容】
【０００５】
上記目的を達成するために、本発明はモータと、前記モータにより回転するハンマと、前記ハンマの回転力が供給されて回転するアンビルと、を備え、前記モータに流れる電流の大きさに応じて、その後に続く前記モータの動作モードの種類を複数の動作モードから選択することを特徴とする電動工具を提供している。かかる構成により、留め金具に応じて最適な制御を行うことができる。
【手続補正３】
【補正対象書類名】明細書
【補正対象項目名】０００６
【補正方法】変更
【補正の内容】
【０００６】
本発明は更に、正転及び逆転可能なモータと、前記モータから駆動力を供給されて正転方向又は逆転方向に回転するハンマと、前記ハンマと別体に設けられ前記ハンマの前記正転方向への回転により回転力が供給されて回転するアンビルと、先端工具を保持可能であり前記先端工具に前記アンビルの回転を伝達する先端工具保持部と、前記モータに正転電力又は逆転電力を供給する電力供給部と、所定期間は前記ハンマと一体的に前記アンビルを回転させるために前記モータに前記正転電力を供給し、前記所定期間経過時に前記モータに前記逆転電力を供給するよう前記電力供給部を制御し、前記逆転電力によって前記モータに流れる電流が第１の所定値以上の場合には前記正転電力と前記逆転電力とを前記第１の切り換え周期で切り換え、前記第１の所定値未満の場合には前記正転電力と前記逆転電力とを前記第２の周期で切り換えるよう前記電力供給部を制御することを特徴とする電動工具を提供している。このような構成によれば、逆転電力によってモータに流れる電流に応じて正転電力と逆転電力の切り換え周期を変化させているので、例えば、モータに流れる電流が大きい場合には木ネジ、小さい場合にはボルトと判断することができ、これにより、それぞれに適した周期で正転電力と逆転電力とを切り換え、留め金具の種類に応じた適切な締結を行うことが可能となる。
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
ステージと、
前記ステージを支持するプレートと、
前記プレートの表面上に配置された冷却対象物と、
前記プレートの表面上に配置され、前記冷却対象物を冷媒により冷却する冷却部と、
を備え、
前記プレートは、内部に冷媒用流路が形成されるとともに、前記冷却部が配置される表面に前記冷媒用流路に連通する貫通穴が設けられ、前記冷媒用流路および前記貫通穴を介して前記冷却部に冷媒が供給されるまたは前記冷却部から冷媒が排出されるように構成されることを特徴とするステージ装置。
【請求項２】
前記冷却対象物は、前記ステージを駆動するためのコイルであり、
前記冷却部は、前記コイルを覆い、内部に冷媒を流す流路が形成された冷却ジャケットであることを特徴とする請求項１に記載のステージ装置。
【請求項３】
前記冷媒用流路は複数の管路で構成され、該複数の管路はその管路抵抗がそれぞれ略同一となるように構成されていることを特徴とする請求項１又は請求項２に記載のステージ装置。
【請求項４】
前記冷却部は、シール部材を介して前記冷媒用流路に接続されていることを特徴とする請求項１乃至請求項３のいずれか１項に記載のステージ装置。
【請求項５】
前記シール部材は、Ｏリング、ガスケット及び接着剤を含むことを特徴とする請求項４に記載のステージ装置。
【請求項６】
前記プレートは、溝が形成された第１構造体と、前記第１構造体に固定された第２構造体とを有し、前記第１構造体の溝の内面と前記第２構造体の表面とにより前記冷媒用流路が形成されることを特徴とする請求項１に記載のステージ装置。
【請求項７】
前記第１構造体と前記第２構造体との間に、前記冷媒用流路の外側を取り囲むように配置されたシール部材を備え、該シール部材の内側及び外側が留め具により締結されていることを特徴とする請求項６に記載のステージ装置。
【請求項８】
前記第２構造体は接着剤により前記第１構造体に固定され、前記第１構造体又は前記第２構造体は、接着剤が充填される接着溝を更に備えることを特徴とする請求項６又は請求項７に記載のステージ装置。
【請求項９】
前記接着溝の内部が留め具により締結されていることを特徴とする請求項８に記載のステージ装置。
【請求項１０】
前記プレートを搭載して移動する粗動ステージを備え、
前記ステージとしての微動ステージは、前記粗動ステージに対して少なくとも３自由度で駆動されることを特徴とする請求項１乃至請求項９のいずれか１項に記載のステージ装置。
【請求項１１】
請求項１０に記載のステージ装置を利用して、位置決め対象物を位置決めし露光動作を実行することを特徴とする露光装置。
【請求項１２】
請求項１１に記載の露光装置を利用して、基板にパターンを転写する工程と、
前記基板を現像する工程と、
を含むことを特徴とするデバイスの製造方法。
【手続補正２】
【補正対象書類名】明細書
【補正対象項目名】発明の名称
【補正方法】変更
【補正の内容】
【発明の名称】ステージ装置、露光装置及びデバイスの製造方法
【手続補正３】
【補正対象書類名】明細書
【補正対象項目名】００１４
【補正方法】変更
【補正の内容】
【００１４】
本発明は、ステージ装置に係り、ステージと、前記ステージを支持するプレートと、前記プレートの表面上に配置され、前記冷却対象物を冷媒により冷却する冷却部と、を備え、前記プレートは、内部に冷媒用流路が形成されるとともに、前記冷却部が配置される表面に前記冷媒用流路に連通する貫通穴が設けられ、前記冷媒用流路および前記貫通穴を介して前記冷却部に冷媒が供給されるまたは前記冷却部から冷媒が排出されるように構成されることを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】